(57)【要約】【課題】  車輪つきの本体と、サクションホース、延長管、吸い込み口などのホース部からなる、一般的な電気掃除機において、掃除機使用中、掃除の邪魔になる物を取り除く場合など、ホース部にあるハンドルから手を離す必要がある場合が結構多いが、手を離すとホース部全体が床に倒れこむため、都度腰を屈めホース部を床に置く必要がある。また掃除機使用再開時にはそれを床から拾い上げることとなり、掃除作業者の負担となっている。  本発明は、掃除機ハンドルから手を離しても、ホース部全体を自立させておくことが出来る自立スタンドを提供する。【解決手段】  棒状パイプなどで出来た支軸の下部に左右に分かれた二股状の脚を付け、支軸の上部には支軸が前後に半回転するヒンジを設ける。このヒンジ部にホースバンドなどを設け、これにより掃除機の延長管などに固定する。  以上を特徴とする、掃除機ホースを自立させるスタンド。【選択図】図１
2010264207.tif 000002
【特許請求の範囲】
【請求項１】
棒状の支軸で床への接地点が２点ある脚を持ち、支軸の上部には支軸が前後に回転するヒンジを設け、このヒンジ部を掃除機の延長管などに固定する掃除機ホースの自立スタンド。
【発明の詳細な説明】
【技術分野】
【０００１】  本発明は電気掃除機で、車輪付の本体と本体に接続されたサクションホース、延長管、吸い込み口などからなるホース部を操作し、本体を床に転がしながら掃除をする一般的な形態の電気掃除機おいて、掃除機を使用中にホース部にあるハンドルから手を離しても、ホース部全体が床に倒れ込むことなく、自立して立たせておくことが出来るスタンドに関するものである。
【背景技術】
【０００２】  従来、掃除機の使用中において、一時的にホース部全体を自立させておける装置はなかった。
【発明の概要】
【発明が解決しようとする課題】
【０００３】  掃除機で掃除中には、以下のような様々な理由で掃除機のハンドルから手を離す必要がある。
床に置かれた様々なもの、新聞、本、クッション、おもちゃ等々を片付ける。
掃除するのに邪魔になる椅子などの家具を避ける。避けた箇所を掃除した後元に戻す。
机の上や家具の上などを、整理したり埃を払ったり拭いたりする。
掃除機のコードが届かなくなり、コンセントを差し替える。
など、これ以外にも様々な場合が考えられる。
しかし掃除機のハンドルから手を離すと、ホース部全体が床に倒れこむため、作業者は腰を屈めこれを床に下ろす必要があり、また掃除を再開するには再度拾い上げる事となり、掃除中の作業者の負担の一つとなっている。
本発明は、掃除機で掃除中のこの負担を軽減するためになされたものである。
【課題を解決するための手段】
【０００４】  棒状パイプなどで出来た支軸の下部に左右に分かれた二股状の脚を付け、支軸の上部には支軸が前後に半回転するヒンジを設ける。
このヒンジ部をホースバンドなどで掃除機の延長管などに固定する。
以上を特徴とする、掃除機ホースを自立させるスタンドである。
【発明の効果】
【０００５】  掃除中、自立スタンドはホース部の延長管後面に沿って収納されているが、ハンドルから手放したいとき、自立スタンドの支軸上部を手で手前に引き、ヒンジを軸に開脚させてから床に置くことで、ホース部全体が自立し手を離してもホース部が床に倒れこむことはない。
これにより、掃除作業者は腰を屈めホース部を床に置く必要がなくなる。
また、掃除を再開するには、支軸の上部を前方に押し、延長管後部側に倒すだけでよく、ホース部を床から拾いあげる必要がなくなる。
上記により、掃除作業者の肉体的負担がかなり軽減される。
【図面の簡単な説明】
【０００６】
【図１】本発明の側面図
【図２】本発明の要部斜視図
【図３】本発明の側面図
【図４】本発明の正面図
【図５】本発明の他の実施例を示す斜視図
【図６】本発明の他の実施例を示す側面図
【図７】本発明の他の実施例を示す斜視図
【図８】本発明の他の実施例を示す断面図
【図９】本発明の他の実施例を示す断面図
【図１０】本発明の他の実施例を示す断面図
【図１１】本発明の他の実施例を示す断面図
【発明を実施するための形態】
【０００７】以下本発明の実施の形態について説明する。
（イ）自立スタンド（１）は縦長棒状の中空筒からなる上部支軸（１ａ）の下部に、上部支軸（１ａ）より少し小さい直径を有する縦長の下部支軸（１ｂ）を設け、上部支軸（１ａ）に下部支軸（１ｂ）は挿入自在とする。
（ロ）上部支字軸（１ａ）と下部支軸（１ｂ）の境界に締結環体（２）を設け、上部支軸（１ａ）と下部支軸（１ｂ）の境界部を締め付けて固定可能とする。
（ハ）上部支軸（１ａ）の上端にヒンジ（３）を設け、上部支軸（１ａ）はヒンジ（３）に対して半回動自在にする。
（ニ）ヒンジ（３）の上部に帯状のホースバンド（４）を設け、ホースバンド（４）は延長管（９）に巻きつけ固定する。
（ホ）下部支軸（１ｂ）下端に二股状に開脚する開脚金具（６）を開脚金具取り付け部（５）を介して設ける。また、開脚金具（６）は支軸（１ａ、１ｂ）に対しわずかに前方向に曲がっている。
（ヘ）開脚金具（６）の下端に床に接する開脚金具接地部（７）を設ける。なお、左右の開脚金具接地部（７）間の距離は、広口吸い込み口（８）の横幅より短くなっている。
（ト）延長管（９）の先端は広口吸い込み口（８）に接続され、後部はサクションホース（１０）に接続されて掃除機本体（１１）に取り付けられる。
本発明は以上の構造となっている。
本発明を使用するときは、
通常、掃除機を使用するときには、サクションホース（１０）の上方に設けられたハンドル（１０ａ）を操作して掃除作業をするが、この時自立スタンド（１）は延長管（９）の後面に沿った位置に折りたたまれた状態で使用する。
この際、開脚金具（６）の横幅は、広口吸い込み口（８）の横幅より短いため通常の掃除作業には、開脚金具が邪魔になることはほとんど無い。
又、開脚金具（６）は延長管（９）の側面に来るよう前方に曲げられているので、高さの低い隙間を掃除するため延長管（９）を床面に近づけても、開脚金具接地部（７）が床に当たって掃除の邪魔になることは無い。
更に、左右方向に短い隙間を掃除する際は、通常広口吸い込み口（８）を外し、先端が尖った隙間用吸い込み口に差し替えるが、開脚金具（６）が邪魔になり隙間用吸い込み口が十分隙間の奥まで届かない場合は、締結環体（２）を操作し、下部支軸（１ｂ）を上部支軸内に挿入し自立スタンド（１）の全長を短くすることで対応する。
掃除中、ハンドル（１０ａ）から手を離したい時は、自立スタンド（１）の上部支軸（１ａ）に手を掛け手前に引くことで、自立スタンド（１）のヒンジ（３）部を軸に手前に回転させ、開脚金具（６）を延長管（９）より離した後、広口吸い込み口（８）と開脚金具接地部（７）を床に降ろす。
これにより、開脚金具接地部（７）の二点と、広口吸い込み口（８）接地面の中央付近を合わせた三点でホース部全体の重量を支えることで自立させることが出来る。
なお、延長管（９）の先端は、広口吸い込み口（８）に設けられた自在継ぎ手（８ａ）を介し、広口吸い込み口本体（８ｂ）に接続されるため、延長管（９）は広口吸い込み口本体（８ｂ）に対し、前後左右共自由に回転する構造となっていることから、広口吸い込み口の接地部は見かけ上、上記の一点のみとなる。
また、ハンドルから手を離す際ハンドル（１０ａ）付近にある掃除機の運転スイッチをＯＦＦすれば、掃除機の運転を停止させた状態でハンドル（１０ａ）から手を離すことができる。
さらに、テーブルの上や家具など、床以外の箇所の埃などを取るときには、延長管（９）とサクションホース接続口（１０ｂ）を外し、外したサクションホース接続口（１０ｂ）にて直接、またはここに棚用の吸い込口などを取り付け埃などを吸引するが、この際使用しない延長管（９）及び広口吸い込み口（８）側は自立させた状態で置いておくことができる。
なお、ハンドルから手を離した時、ホース部全体が倒れないようにする応用例として以下の方法も考えられる。
図５に示すように、掃除機本体（１１）に受け棒（１２）を設けると共に、延長管（９）の上部付近に環状の滑り止め（１３）を設けておき、ホース部を自立させたいときは、受け棒（１２）上部にある二股に分かれた受け部（１２ａ）に、延長管（９）の滑り止め（１３）の下部を乗せることで自立させる方法。
また、図６に示すように、延長管（９）の後面下部付近に引っ掛けレバー（１４）と、掃除機本体（１１）の側面にレバー受け（１５）を設け、レバー受け（１５）に引っ掛けレバー（１４）を差込み、ホース部全体を自立させる。
さらに、図７に示すように広口吸い込み口（８）の自在継ぎ手（８ａ）の左右自在機構をロックし、広口吸い込み口（８）に対する延長管（９）の左右の動きを止めることで、見かけ上広口吸い込み口（８）の左右両端の２点の接地点が確保でき、自立スタンド（１）は一脚でもホース部の自立が可能になる。
左右自在機構をロックする方法の例としては、
先ず電磁的な方法例として、自在機構は上下自在機構と左右自在機構に分かれるが、前後自在継ぎ手部の図示を省くと、概ね側面の断面は図８のようになる。延長管（９）に接続されたパイプ状の広口吸い込み口継ぎ手（８ｃ）と広口吸い込み口本体（８ｂ）に設けられた継ぎ手受け（８ｄ）が自在に回転する機構なっている。
図９はこの部分を正面から見た断面図であるが、延長管（９）の左右の傾きが広口吸い込み口（８）に対し９０度になった位置では、この図にあるように広口吸い込み口継ぎ手（８ｃ）と広口吸い込み口継ぎ手受け（８ｄ）の両パイプに直線上に並ぶよう穴を開けておく。
また、広口吸い込み口継ぎ手受け（８ｄ）の側面に電磁ソレノイド（１７ｂ）を設け、更に広口吸い込み口継ぎ手受け（８ｄ）の穴に、電磁ソレノイド（１７ｂ）に連結されたロックピン（１７ａ）を挿入する。
掃除機使用中は電磁ソレノイド（１７ｂ）に電源を供給し、ロックピン（１７ａ）を吸引させ自在機構はロックさせない。掃除機の電源をＯＦＦすると電磁ソレノイド（１７ｂ）の電源供給が絶たれロックピン（１７ａ）は、電磁ソレノイド（１７ｂ）内部に設けられた伸張性のスプリングにより外側に押され、延長管（９）の左右角が９０度の位置では双方の穴を貫き自在継ぎ手（８ａ）をロックする。
なお電磁ソレノイドの電源は、掃除機本体（１１）からサクションホース（１０）、延長管（９）、広口吸い込み口（８）の内部に施された導線と、各接続部に設けられた電気接点を介し供給される。
次に機械的な方法例として、先ず図１０及び図１１は左右自在継ぎ手（８ａ）部を側面から見た断面図であるが、図１０に示すようにパイプ状の広口吸い込み口継ぎ手（８ｃ）の外周に２つの溝（２０ａ、２０ｂ）を設けておき、さらに広口吸い込み口継ぎ手受け（８ｄ）に挿入される手前の位置に、棒状のロックピン（２１）を１個付けておく。
また、広口吸い込み口継ぎ手受け（８ｄ）側の内面には穴を上下２箇所程度設け、その中に伸張性のスプリング（１９）を入れその上にボール（１８）を入れておく。さらに、広口吸い込み口継ぎ手受け（８ｄ）の入り口には、延長管（９）の傾きが広口吸い込み口（８）に対し左右とも９０度になった位置に、ロックピン（２１）がちょうど挿入できる程度の切り欠を設けロックピン受け（２２）としている。
通常掃除機を使用する場合は図１０に示すように、ボール（１８）は広口吸い込み口継ぎ手（８ｃ）に設けられた溝（２０ｂ）にはまっている。この状態ではロックピン（２１）はロックピン受け（２２）の外にあるため、左右自在機構はロックされず、延長管は自由に角度を変えられる。左右自在機構をロックするには、広口吸い込み口（８）を足などで踏むことで動かないようにして、延長管（９）を広口吸い込み口（８）との角度が左右とも９０度になる位置で前方に押す。
これにより、広口吸い込み口継ぎ手（８ｃ）は前方に移動し、ボール（１８）は溝（２０ｂ）より外れ、図１１に示すように溝（２０ａ）側にはまり込み、同時にロックピン（２１）はロックピン受け（２２）に入り込み、延長管（９）の左右の動きがロックされる。
ロックを外すには、広口吸い込み口（８）を固定して延長管（９）を手前に引けばロックは解除される。
なお、ストッパー（２３）は広口吸い込み口継ぎ手（８ｃ）の抜けを防止するために設けている。
勿論、構造を変えれば延長管（９）を引くことによりロック、押すことによりロックを解除することも可能であろう。
いずれの場合も自立スタンドは、普段は延長管の後側にそって折りたたみ、自立時は広口吸い込み口（８）の左右自在機構をロックしてから、図７に示すように一脚の自立スタンド（１）を延長管（９）から開脚することで自立させる。
【符号の説明】
【０００８】  （１）自立スタンド、（１ａ）上部支軸、（１ｂ）下部支軸、（２）締結環体、（３）ヒンジ、（４）ホースバンド、（５）開脚金具取付部、（６）開脚金具、（７）開脚金具接地部、（８）広口吸い込み口、（８ａ）広口吸い込み口自在継ぎ手、（８ｂ）広口吸い込み口本体、（８ｃ）広口吸い込み口継ぎ手、（８ｄ）広口吸い込み口継ぎ手受け、（９）延長管、（１０）サクションホース、（１０ａ）ハンドル、（１０ｂ）サクションホース接続口、（１１）掃除機本体、（１２）受け棒、（１２ａ）受け棒の受け部、（１３）滑り止め、（１４）引っ掛けレバー、（１５）レバー受け、（１６）スタンド接地部、（１７）左右自在継ぎ手ロック機構、（１７ａ）ロックピン、（１７ｂ）電磁ソレノイド、（１８）ボール、（１９）スプリング、（２０ａ）溝、（２０ｂ）溝、（２１）ロックピン、（２２）ロックピン受け、（２３）ストッパー
【図１】
2010264207.tif 000003
【図２】
2010264207.tif 000004
【図３】
2010264207.tif 000005
【図４】
2010264207.tif 000006
【図５】
2010264207.tif 000007
【図６】
2010264207.tif 000008
【図７】
2010264207.tif 000009
【図８】
2010264207.tif 000010
【図９】
2010264207.tif 000011
【図１０】
2010264207.tif 000012
【図１１】
2010264207.tif 000013